(57)【特許請求の範囲】
【請求項１】
管理者端末とネットワークを通じて接続するサーバーコンピュータとの間で畜産情報をリアルタイムで管理する畜産管理システムであって、
繁殖用家畜に対して個別に付与された識別子により個別に管理される繁殖用家畜情報、複数頭に一括して付与された識別子によりグループ管理される非繁殖用家畜情報、該当する家畜が飼育される飼育環境を含む畜舎情報を含むデータが入出力される前記管理者端末と、
前記サーバーコンピュータは、
前記管理者端末とインターネット回線を通じて通信接続するＷｅｂサーバーと、
前記管理者端末からの要求に応じてアプリケーションソフトを起動するアプリケーションサーバーと、
前記アプリケーションソフトを実行する際にデータを読み出したり、記憶したりするデータベースと、を具備し、
前記管理者端末からの要求に応じて前記サーバーコンピュータは随時アプリケーションを起動し、前記管理者端末から入力される識別子に応じた前記繁殖用家畜情報および前記非繁殖用家畜情報、前記畜舎情報を関連付けして前記データベースに記憶し、読み出し可能になっていて、
前記繁殖用家畜情報は、母豚の交配、分娩、出産頭数を含む繁殖用母豚データと繁殖候補用子豚の体重、餌の種類と量、水の量、投薬履歴を含む繁殖候補用子豚データを含み、
前記繁殖候補用子豚データは、母豚から生まれて離乳してから母豚候補か肉食用豚かの選抜が行われて、前記管理者端末から前記データベースに記憶した前記繁殖用家畜情報のデータ更新が行われることを特徴とする畜産管理システム。
【請求項２】
前記非繁殖用家畜情報は、肉食用豚の誕生から出荷までの日数、流通経路、出荷先を含み、前記畜舎情報は畜舎内の温湿度を含む空調データと、電力使用量データと、水使用量データとガス使用量データとが含まれる請求項１記載の畜産管理システム。
【発明の詳細な説明】
【技術分野】
【０００１】
本発明は、例えば養豚業を行う上で母豚、肉豚の管理や豚舎の状況などをデータを逐一更新しながら管理し、農場単位あるいは複数農場を統合した集中管理も行える畜産管理システムに関する。
【背景技術】
【０００２】
消費者の食肉に対する安全性が重視されている昨今、家畜の飼育管理やトレーサビリティが重要視されている。例えば、出荷する食肉用の豚を生む豚（以下「母豚」という）が２０００頭ほどいる農場では、出荷する食肉用の豚（以下「肉豚」という）が１万頭を超えるため１頭１頭の管理が煩雑となる。養豚業など生き物を扱う業界では、病気に対する投薬や餌などイレギュラーな事態が多く、頭数が多くなると個別に管理しきれていない場合が多い。従来の管理方法としては、ユーザーが豚舎で紙にメモを取り、最終的な状態を事務所に戻って帳票で保存しなければならないため、帳票に転記しパーソナルコンピュータ（ＰＣ）にもデータ入力している。
【０００３】
畜産管理システムの従来技術として、動物識別特定タグを取り付け、コンピュータとネットワークを介して、動物ごとの情報をデータベースに登録して動物を管理する動物管理システムが存在する。
【先行技術文献】
【特許文献】
【０００４】
【特許文献１】特開２００５−１６０３９１号公報
【発明の開示】
【発明が解決しようとする課題】
【０００５】
特許文献１に開示されている動物管理システムでは、動物を識別するタグを個々の動物に取り付けて、動物の情報を取得して管理するので、扱う情報量が膨大になる。
ユーザーは、畜舎で確認した情報を基に事務所で帳票とＰＣに入力しているため、転記、入力ミスが発生しやすく、個体数が増えるとデータ量が増えて作業効率が悪い。また、飼育管理する個体数が多いと誕生から出荷までをさかのぼるトレーサビリティが十分確保され難くなる。
【０００６】
すべての豚の飼育管理は困難であるが、母豚や次世代に母豚となるべき豚のように飼育環境を個体管理すべき豚と、肉豚のように共通の飼育方法を採用するが故に複数頭を１頭として管理できる豚も存在する。また、ユーザーが携帯端末をもって現場に行き、実際にその場で確認して必要なデータ入力すれば、転記や再入力に伴う入力ミスも防げる。また、農場内の複数畜舎の管理のみならず、複数農場のデータ管理も一元化することで、畜舎ごとあるいは農場ごとの飼育状況の管理や個体管理を集中管理することができる。
【０００７】
そこで本発明はこれらの課題を解決すべくなされたものであり、その目的とするところは、養豚業において飼育管理する家畜のデータ入力作業を軽減し、蓄積したデータから家畜の飼育環境や誕生から出荷までのトレーサビリティを確保可能な畜産管理システムを提供することにある。
【課題を解決するための手段】
【０００８】
本発明は上記目的を達成するため、次の構成を備える。
管理者端末とネットワークを通じて接続するサーバーコンピュータとの間で畜産情報をリアルタイムで管理する畜産管理システムであって、繁殖用家畜に対して個別に付与された識別子により個別に管理される繁殖用家畜情報、複数頭に一括して付与された識別子によりグループ管理される非繁殖用家畜情報、該当する家畜が飼育される飼育環境を含む畜舎情報を含むデータが入出力される前記管理者端末と、前記サーバーコンピュータは、前記管理者端末とインターネット回線を通じて通信接続するＷｅｂサーバーと、前記管理者端末からの要求に応じてアプリケーションソフトを起動するアプリケーションサーバーと、前記アプリケーションソフトを実行する際にデータを読み出したり、記憶したりするデータベースと、を具備し、前記管理者端末からの要求に応じて前記サーバーコンピュータは随時アプリケーションを起動し、前記管理者端末から入力される識別子に応じた前記繁殖用家畜情報および前記非繁殖用家畜情報、前記畜舎情報を関連付けして前記データベースに記憶し、読み出し可能になっていて、前記繁殖用家畜情報は、母豚の交配、分娩、出産頭数を含む繁殖用母豚データと繁殖候補用子豚の体重、餌の種類と量、水の量、投薬履歴を含む繁殖候補用子豚データを含み、前記繁殖候補用子豚データは、母豚から生まれて離乳してから母豚候補か肉食用豚かの選抜が行われて、前記管理者端末から前記データベースに記憶した前記繁殖用家畜情報のデータ更新が行われることを特徴とする。
【０００９】
上記畜産管理システムを用いれば、管理者通信端末とネットワークを通じて接続するサーバーコンピュータとの間で畜産情報をリアルタイムで管理することができるので、管理者が管理者端末をもって畜舎に行き、実際にその場で確認して必要なデータ入出力すれば、転記や再入力に伴う入力ミスも防ぐことができ管理作業がリアルタイムで効率よく行える。また、インターネットなどの通信回線を使用することで農場内の複数畜舎の管理のみならず、複数農場のデータ管理も一元化することで、畜舎ごとあるいは農場ごとの飼育状況の管理や個体管理を集中管理することができる。また、管理すべき繁殖候補用子豚データを適正に更新して管理することができる。
【００１０】
また、前記非繁殖用家畜情報は肉食用豚の誕生から出荷までの日数、流通経路、出荷先を含み、前記畜舎情報は畜舎内の温湿度を含む空調データと、電力使用量データと、水使用量データとガス使用量データとが含まれる。これにより、繁殖用母豚、繁殖候補用子豚に対して個別に付与された識別子により個別に管理される繁殖用家畜情報、複数頭に一括して付与された識別子によりグループ管理される非繁殖用家畜情報とで分けて管理し、管理すべきデータ量を減らして管理できる。また、管理者端末より識別子により繁殖用母豚、繁殖候補用子豚、肉食用豚の生育環境や肉食豚の誕生から出荷までの履歴がデータベースに蓄積されているので、トレーサビリティを確保することができる。
【発明の効果】
【００１２】
本発明に係る畜産管理システムを用いれば、養豚業において飼育管理する家畜のデータ入力作業を軽減し、蓄積したデータから家畜の飼育環境や誕生から出荷までのトレーサビリティを確保可能であり、肉質の良い、健康である等の良質な子豚を生む母豚候補を選別できる畜産管理システムを提供することができる。
【図面の簡単な説明】
【００１３】
【図１】本発明の実施形態に係る畜産管理システムの一例を示す説明図である。
【図２】本発明の実施形態に係る畜産情報をデータベースに記憶して読み出す方法の一例を示すフローチャートである。
【図３】本発明の実施形態に係る管理者端末の画面に表示されるデータ項目の一例の説明図である。
【図４】本発明の実施形態に係る母豚、繁殖候補用子豚、肉食用豚の関係の一例を示す説明図である。
【図５】本発明の実施形態に係る複数の農場を統括するネットワークを例示する説明図である。
【発明を実施するための形態】
【００１４】
以下、本発明に係る畜産管理システムの実施形態について、添付図面を参照しながら説明する。本実施形態では、一例として養豚管理システムについて説明する。
【００１５】
図１に記載の養豚管理システムは、例えば、スマートフォンやタブレットＰＣ、ノートパソコン等の管理者端末１とインターネットなどのネットワークを通じて接続するサーバーコンピュータ２との間で通信して畜産情報をリアルタイムで管理する。管理者端末１からは、繁殖用家畜に対して個別に付与された識別子（ＩＣタグ、バーコード、二次元コード等）により個別に管理される繁殖用母豚情報（繁殖用家畜情報）、複数頭に一括して付与された識別子（ＩＣタグ、バーコード、二次元コード等）によりグループ管理される肉食用豚情報（非繁殖用家畜情報）、該当する豚が飼育される飼育環境を含む畜舎情報を含むデータが入出力される。
【００１６】
サーバーコンピュータ２は、管理者端末１とインターネット回線を通じて通信接続するＷｅｂサーバー２ａと、管理者端末１からの要求に応じてアプリケーションソフトを起動するアプリケーションサーバー２ｂと、アプリケーションソフトを実行する際にデータを読み出したり、記憶したりするデータベース２ｃと、を具備している、いわゆるＷｅｂアプリケーション（Web application）が用いられる。Ｗｅｂアプリケーションは、ウェブの機能や特徴を利用したアプリケーションソフトウェアである。
【００１７】
サーバーコンピュータ２と管理者端末１との間の通信手段としては、アプリケーションプロトコルの１つであるHTTPを用いる。例えば、Cookieなどを用いてサーバーコンピュータ２と管理者端末１との間でセッションIDの受け渡しをし、セッションの管理を行っている。
【００１８】
Ｗｅｂアプリケーションを用いる利点は以下の通りである。先ず、データの更新が容易である。Ｗｅｂサーバー２ａ上のファイルを更新するだけで、クライアントはHTTPアクセスするだけで最新のウェブアプリケーションを利用できる。次に、管理者端末１側にアプリケーションのインストールが不要である。Ｗｅｂサーバー２ａで処理を行って出力結果のファイルを管理者端末１側（ウェブブラウザ）で表示するだけなので管理者端末１はウェブアプリケーションをインストールする必要はない。よって、ウェブブラウザがあれば環境に依存せず利用できる。また、各管理者端末１の環境が違っていてもウェブブラウザがあればクロスプラットフォームに対応できる。
【００１９】
管理者端末１からの要求に応じてサーバーコンピュータ２は随時アプリケーションソフトを起動し、管理者端末１から入力される識別子に応じた繁殖用家畜情報および非繁殖用家畜情報、畜舎情報を関連付けしてデータベース２ｃに記憶し、読み出し可能になっている。
以下具体的に説明する。  
【００２０】
本発明の実施形態に係る畜産情報をデータベース２ｃに記憶して読み出す方法の一例のフローチャートを図２に示す。管理者は畜産情報のデータを入力する時、所望のデータ項目を選択し、管理者端末１上に情報データの入力画面を表示させてから入力操作を行う。畜産情報は各種情報データが項目に分かれて管理者端末１に表示されている。管理者端末１の画面に表示されるデータ項目の一例を図３に示す。飼育データ項目を選択すると、繁殖用家畜と非繁殖用家畜に関する情報が表示される。
【００２１】
本発明の実施形態に係る母豚、繁殖候補用子豚、肉食用豚の関係の一例を図４に示す。家畜として豚の繁殖の場合、母豚の血統等の情報が重要になり、母豚の情報が母豚から生まれてくる子豚の肉質等に影響する。繁殖用家畜には母豚の他に、将来母豚となる子豚が含まれる。一方、非繁殖用家畜には将来肉食用として出荷される肉豚があり、これに加えて成長過程で母豚候補の（子）豚から母豚に向いてない豚として選別された（子）豚もある。この時、繁殖用の豚は個別に付与された識別子によって個別に管理され、繁殖用家畜情報が得られる。一方、非繁殖用の豚は複数頭に一括して付与された識別子によってグループ管理され、非繁殖用家畜情報が得られる。非繁殖用の豚はグループ別に一区画にまとめて飼育されるので、複数頭を一括して管理してもよい。グループの分け方は、特に限定されなく、生まれた日、母豚別等どのような分け方でもよい。
【００２２】
豚の繁殖用家畜情報には、繁殖用母豚に関するデータと繁殖候補用子豚に関するデータが含まれる。例として繁殖用母豚データには、母豚の交配、分娩、出産頭数を含むデータが含まれ、繁殖候補用子豚データには、繁殖候補用子豚の体重、餌の種類と量、水の量、投薬履歴が含まれる。これらをデータ項目別に分けて管理者端末１に表示させることができる。これらのデータを管理することで、データベース２ｃから各種データを選択して母豚候補を選別できるようになり、肉質の良い、健康である等の良質な子豚を生む母豚の各種データを管理できる。
【００２３】
豚の非繁殖用家畜情報には肉食用豚に関するデータが含まれ、肉食用豚データには豚の誕生から出荷までの日数、流通経路、出荷先等のデータが含まれる。これらをデータ項目別に分けて管理者端末１に表示させることができる。これらのデータを管理することで、肉豚のトレーサビリティを確保することができる。他にも良質な肉豚のデータを繁殖用の豚のデータに反映させて、データベース２ｃから母豚候補を選別できるようになる。
【００２４】
繁殖用母豚データ、繁殖候補用子豚データ、肉食用豚データを含む各情報を管理者端末１に入力する。管理者端末１から入力した情報は、インターネット回線を通じてサーバーコンピュータ２に通信接続されて、データベース２ｃに記憶される。これらの情報は、体重計、餌や水の供給量および摂取量を測定できるセンサー等の検出装置を用いれば、自動的にデータを測定することができる。このような自動的に測定されたデータは、逐次インターネット回線を通じて通信接続されて、自動的にデータベース２ｃに記憶されるようにし、記憶されたデータの出力が可能になり、手入力が不必要になる。
【００２５】
畜舎情報は畜舎の設備や飼育環境に関するデータが含まれ、温湿度を含む空調データと、電力使用量データと、水使用量データと、ガス使用量データ等が含まれる。畜舎情報も同様に管理者端末１から入力してもよく、データベース２ｃに記憶させることもできる。畜舎の設備や飼育環境に関する情報は、温度、湿度を測定できるセンサー、電気、水、ガスの使用量を測定できる測定器等の検出装置を用いれば、自動的にデータを測定することができる。このような自動的に測定されたデータは、家畜情報と同様にデータベース２ｃに自動的に記憶されるようにすればよく、データの出力が可能になる。
【００２６】
また、畜舎情報の各データと家畜情報のデータと結びつけてデータベース２ｃに記憶し、家畜情報を畜舎情報に反映させることもできる。これにより、家畜に最適な飼育環境を導き出して、飼育環境を制御することができる。また、最適な飼育環境のデータを予めシステムに入力しておけば、空調設備や暖房設備、給餌、給水装置、畜舎の水洗作業を自動制御できる装置を用いて飼育環境を自動制御することもできる。さらに、飼育環境のデータはリアルタイムで管理しているので、最適な飼育環境のデータと、検出装置によって検出されるリアルタイムのデータとを比較して適正な範囲にあるか判断し、大きな差があれば管理者端末１に警告表示させることができる。
【００２７】
データベース２ｃに記憶されたデータは検索機能を用いて、容易に検索することができる。検索されたデータはデータベース２ｃから出力され、管理者端末１に表示される。表示されたデータの修正、登録は管理者端末１でき、変更データはデータベースに２ｃに記憶される。
【００２８】
また、餌や水の摂取量や飼育環境の変化から、家畜の健康状態を管理できる。予め家畜の成長過程や肥育過程中での餌や水の摂取量等のデータをデータベース２ｃに記憶することにより、家畜の病気が発生するのを予測して、投薬による予防、治療が可能になる。
【００２９】
家畜情報のデータベース２ｃは、良質な肉豚の生産に関する母豚の成績や出荷の成績を数値化することができる。また、畜舎情報のデータベース２ｃは、電力使用量データ、水使用量データ、ガス使用量からそれぞれの使用量に基づいた使用料金を計算することができる。データベース２ｃから各データは容易に出力されるので、月単位、年単位で各データが管理者端末１に表示され、過去の情報との比較ができて効率的な農場運営が可能となる。
【００３０】
また、データ項目の増減は容易に行うことができるので、管理するデータが増えてもシステム上は問題ない。また、豚だけではなく、牛、鶏、羊等の家畜に用いることができ、それぞれの家畜を繁殖用と非繁殖用に分けて管理すればよい。
【００３１】
管理者端末１が携帯可能であれば畜舎で情報を入出力することができ、メモ代わりに情報をすぐにシステムに反映させることができ、情報を現場で閲覧することができる。また、携帯可能でない管理者端末１でもネットワークと通じて情報データの入出力できれば用いることができる。
【００３２】
本実施形態の畜舎管理システムは、畜舎の棟ごとに管理してもよい。また、管理する棟をまとめて農場全体のデータとしてまとめることができ、各棟の情報を入出力できて指示することができる。また、農場ごとにまとめてグループ農場として、各農場のデータを一括管理して、相互のデータを入出力して指示することができる。
【符号の説明】
【００３３】
１：管理者端末  ２：サーバーコンピュータ  ２ａ：Ｗｅｂサーバー  ２ｂ：アプリケーションサーバー  ２ｃ：データベース
【図１】
0005464619.tif 000002
【図２】
0005464619.tif 000003
【図４】
0005464619.tif 000004
【図５】
0005464619.tif 000005
【図３】
0005464619.tif 000006